(57)【要約】【課題】放射する光の光色を変化させることができる直管形ランプを提供する。【解決手段】直管形ランプ13は、少なくとも一部に透光性を有する直管形のカバーを備える。カバーの一端および他端に、一対のランプピン32を有する一対の口金22a，22bをそれぞれ取り付ける。カバー内に、第１の発光回路26aおよび第２の発光回路26bを有する発光ユニット21を配置する。第１の発光回路26aは、一端の第１の口金22aのランプピン32に接続され、第１の光色の光を発光する第１の発光素子27aを有する。第２の発光回路26bは、第１の発光回路26aと絶縁された状態で設けられ、他端の第２の口金22bのランプピン32に接続され、第１の光色とは異なる第２の光色の光を発光する第２の発光素子27bを有する。【選択図】図１
2014110107.tif 000002
【特許請求の範囲】
【請求項１】
少なくとも一部に透光性を有する直管形のカバーと；
一対のランプピンを有し、カバーの一端および他端にそれぞれ取り付けられた一対の口金と；
カバー内に配置され、一端の口金のランプピンに接続された第１の光色の光を発光する第１の発光素子を有する第１の発光回路、および他端の口金のランプピンに接続された第１の光色とは異なる第２の光色の光を発光する第２の発光素子を有し第１の発光回路と絶縁された第２の発光回路を備えた発光ユニットと；
を具備していることを特徴とする直管形ランプ。
【請求項２】
発光ユニットは、直管形のカバーに沿って長手状の基板を有し、基板の長手方向に対して交差する一側に沿って第１の発光回路が形成され、他側に沿って第２の発光回路が形成され、第１の発光回路と第２の発光回路との間に所定の絶縁距離が形成されている
ことを特徴とする請求項１記載の直管形ランプ。
【請求項３】
請求項１または２記載の直管形ランプと；
直管形ランプの両端の各口金をそれぞれ装着する一対のソケットと；
各ソケットから直管形ランプの各発光回路にそれぞれ電力を供給する２系統の出力回路を有する点灯装置と；
を具備していることを特徴とする照明装置。
【発明の詳細な説明】
【技術分野】
【０００１】
本発明の実施形態は、発光素子を用いた直管形ランプ、およびこの直管形ランプを用いた照明装置に関する。
【背景技術】
【０００２】
従来、日本電球工業会規格ＪＥＬ８０１「Ｌ形口金付直管形ＬＥＤシステム」に準拠した直管形ランプがある。この直管形ランプは、直管形のカバー内に複数の発光素子を有する発光ユニットが収容され、カバーの両端に口金がそれぞれ取り付けられている。一端の口金には、発光ユニットに接続されたＬ形の一対のランプピンが突設されている。そして、一対のランプピンを通じて発光ユニットに直流電力を供給することにより、複数の発光素子が光を発生し、この光がカバーを透過して照明空間に放射されるように構成されている。
【０００３】
直管形ランプから放射する光の光色は、予め任意に設定された一定の光色となっている。
【先行技術文献】
【特許文献】
【０００４】
【特許文献１】特開２０１２−８４３２３号公報
【発明の概要】
【発明が解決しようとする課題】
【０００５】
従来の直管形ランプにおいては、放射する光の光色を任意に変化させることはできなかった。
【０００６】
本発明が解決しようとする課題は、放射する光の光色を変化させることができる直管形ランプおよび照明装置を提供することである。
【課題を解決するための手段】
【０００７】
実施形態の直管形ランプは、少なくとも一部に透光性を有する直管形のカバーを備える。カバーの一端および他端に、一対のランプピンを有する一対の口金をそれぞれ取り付ける。カバー内に、第１の発光回路および第２の発光回路を有する発光ユニットを配置する。第１の発光回路は、一端の口金のランプピンに接続され、第１の光色の光を発光する第１の発光素子を有する。第２の発光回路は、第１の発光回路と絶縁された状態で設けられ、他端の口金のランプピンに接続され、第１の光色とは異なる第２の光色の光を発光する第２の発光素子を有する。
【発明の効果】
【０００８】
本発明によれば、光色の異なる光を発生する第１の発光回路および第２の発光回路に両端の口金から電力を供給することにより、直管形ランプから放射する光の光色を変化させることが期待できる。
【図面の簡単な説明】
【０００９】
【図１】第１の実施形態を示す直管形ランプの内部構造を示す正面図である。
【図２】同上直管形ランプの斜視図である。
【図３】同上直管形ランプの点灯装置の回路図である。
【図４】同上直管形ランプを用いた照明装置の斜視図である。
【図５】同上直管形ランプの光束を一定として第１の発光素子と第２の発光素子との調光比を変化させた場合の第１の色温度の光と第２の色温度の光の光出力との関係を示すグラフである。
【図６】同上直管形ランプの第１の発光素子と第２の発光素子との調光比を変化させた場合の第１の色温度の光と第２の色温度の光の光出力と合成光の光出力との関係を示すグラフである。
【図７】第２の実施形態を示す発光ユニットの正面図である。
【図８】第３の実施形態を示す点灯装置の回路図である。
【発明を実施するための形態】
【００１０】
以下、第１の実施形態を、図１ないし図６を参照して説明する。
【００１１】
図４において、照明装置11は、例えば２灯用の埋込形照明器具である。照明装置11は、長手状の器具本体12、この器具本体12内に配置される直管形ランプ13、および器具本体12の両端に対向配置されて直管形ランプ13の両端が装着されるソケットとしての第１のソケット14aおよび第２のソケット14b、直管形ランプ13に電力を供給して点灯させる点灯装置15などを備えている。
【００１２】
次に、図１および図２に示すように、直管形ランプ13は、直管形で円筒状のカバー20、このカバー20内に収容された発光ユニット21、およびカバー20の一端および他端にそれぞれ配設された口金としての第１の口金22aおよび第２の口金22bを備えている。
【００１３】
カバー20は、少なくとも光照射方向に透光性を有するとともに、複数の色温度の光の混色が良好となるように光拡散性を有する。
【００１４】
発光ユニット21は、カバー20の長手方向に沿って長尺な基板25を有し、この基板25の一主面である実装面上に第１の発光回路26aと第２の発光回路26bとが互いに絶縁された状態に形成されている。複数の第１の発光素子27aと複数の第２の発光素子27bとは、それぞれ全体として異なる光色を放射するように構成されており、例えば互いに異なる色温度の光を放射するように構成されている。
【００１５】
第１の発光回路26aは、基板25の実装面にその基板25の長手方向に沿って所定の間隔を置いて実装された第１の色温度の光を発光する複数の第１の発光素子27a、および基板25の実装面に形成されていて複数の第１の発光素子27aを直列に接続する第１の配線部28aを有している。
【００１６】
第２の発光回路26bは、基板25の実装面にその基板25の長手方向に沿って所定の間隔を置いて実装された第１の色温度とは異なる第２の色温度の光を発光する複数の第２の発光素子27b、および基板25の実装面に形成されていて複数の第２の発光素子27bを直列に接続する第２の配線部28bを有している。例えば、第２の色温度は、第１の色温度より高く、あるいは第１の色温度より低い。
【００１７】
発光素子27a，27bには、例えばＬＥＤ素子やＥＬ素子などが含まれる。ＬＥＤ素子の場合には、例えば、表面実装形のＳＭＤ（Surface Mount Device）パッケージが用いられる。本実施形態では、基板25の短手方向の中央域に基板25の長手方向に沿って第１の発光素子27aと第２の発光素子27bとが１個ずつ交互に１列状態で配列され、基板25の短手方向の一側に第１の配線部28aが配設され、他側に第２の配線部28bが配設されている。この構成により、第１の発光回路26aと第２の発光回路26bとの絶縁状態が確保されている。
【００１８】
また、口金22a，22bは、共通構造に形成されている。口金22a，22bの端面には、一対のランプピン32が突出されている。一対のランプピン32は、断面四角形状の平金属板にて形成されており、直管形ランプ13の長手方向に沿って突出する脚部33、およびこれら脚部33の先端から他方の脚部33に対して互いに離れるように外側方向に向けて突出する屈曲部34を有するＬ形に折曲形成されている。
【００１９】
なお、直管形ランプ13は、両端の口金22a，22bの一対のランプピン32が平行に突設されており、これら一対のランプピン32が並ぶ方向に平行な面と発光ユニット21の基板25とが平行になるように設けられている。
【００２０】
また、第１の口金22aの一対のランプピン32と第２の口金22bの一対のランプピン32とは互いに絶縁されており、第１の口金22aまたは第２の口金22bのいずれか一方のみに電力が供給されても他方に電気は導通しない。したがって、一方の例えば第１の口金22aを第１のソケット14aへ装着した状態で第２の口金22bに触れても感電することがなく安全性を確保することができる。
【００２１】
また、第１の口金22aの一対のランプピン32と第１の発光回路26aの両端部とが第１のダイオードブリッジ37aを介して電気的に接続されている。第２の口金22bの一対のランプピン32と第２の発光回路26bの両端部とが第２のダイオードブリッジ37bを介して電気的に接続されている。
【００２２】
なお、ソケット14a，14bは、共通構造に形成され、直管形ランプ13の口金22a，22bをそれぞれ装着して、電気的に接続するとともに機械的に保持するように構成されている。
【００２３】
また、直管形ランプ13の装着時に、第１のソケット14aには第１の口金22aが、および第２のソケット14bには第２の口金22bがそれぞれ対応して装着されるようにソケット14a，14bおよび口金22a，22bに誤装着防止構造を設けたり、その装着方向が明確に分かるようにソケット14a，14bおよび口金22a，22bに表示部などを設けてもよい。
【００２４】
次に、図３に示すように、直管形ランプ13の点灯装置15は、点灯回路40、および２系統の出力回路としての第１の出力回路41aおよび第２の出力回路41bを備えている。
【００２５】
点灯回路40は、交流電源Ｅを入力するとともに、第１の発光素子27aを調光する第１の調光器42aからの第１の調光信号および第２の発光素子27bを調光する第２の調光器42bからの第２の調光信号を入力し、第１の出力回路41aおよび第２の出力回路41bのそれぞれに、第１の調光信号および第２の調光信号に応じて交流電力を所定の直流電力に変換して出力する。
【００２６】
第１の出力回路41aは、第１のソケット14aを通じて第１の口金22aの一対のランプピン32に電気的に接続され、また、第２の出力回路41bは、第２のソケット14bを通じて第２の口金22bの一対のランプピン32に電気的に接続される。
【００２７】
そして、点灯装置15の第１の出力回路41aから第１のソケット14aおよび第１の口金22aを通じて第１の発光回路26aに直流電力を供給することにより、第１の発光回路26aに直列に接続されている複数の第１の発光素子27aが点灯し、これら第１の発光素子27aが発生する第１の色温度の光がカバー20を透過して照明空間に放射される。また、点灯装置15の第２の出力回路41bから第２のソケット14bおよび第２の口金22bを通じて第２の発光回路26bに直流電力を供給することにより、第２の発光回路26bに直列に接続されている複数の第２の発光素子27bが点灯し、これら第２の発光素子27bが発生する第２の色温度の光がカバー20を透過して照明空間に放射される。
【００２８】
第１の発光素子27aおよび第２の発光素子27bの両方が点灯した状態では、第１の発光素子27aが発生する第１の色温度の光と第２の発光素子27bが発生する第２の色温度の光とが混色された光がカバー20を透過して照明空間に放射される。このとき、基板25の短手方向の中央域に基板25の長手方向に沿って第１の発光素子27aと第２の発光素子27bとが１個ずつ交互に１列状態で配列されているため、第１の色温度の光と第２の色温度の光との混色が良好に行われる。さらに混色が良好に行われるように、カバー20に十分な光拡散性を持たせてもよい。
【００２９】
また、第１の調光器42aを調整することにより、第１の口金22aから第１の発光回路26aに供給する電力が変化して、第１の発光素子27aの光出力が変化し、また、第２の調光器42bを調整することにより、第２の口金22bから第２の発光回路26bに供給する電力が変化して、第２の発光素子27bの光出力が変化する。
【００３０】
図５には、直管形ランプ13の光束を一定として第１の発光素子27aと第２の発光素子27bとの調光比を変化させた場合の第１の色温度の光Ａと第２の色温度の光Ｂの光出力との関係を示すグラフである。第１の発光素子27aからの光出力を高く、第２の発光素子27bからの光出力を低くすることにより、直管形ランプ13の色温度を第１の色温度の光Ａを多く含む色温度に変化させることができる。一方、第１の発光素子27aからの光出力を低く、第２の発光素子27bからの光出力を高くすることにより、直管形ランプ13の色温度を第２の色温度の光Ｂを多く含む色温度に変化させることができる。
【００３１】
さらに、図６に示すように、直管形ランプ13の第１の発光素子27aと第２の発光素子27bとの調光比を変化させた場合の第１の色温度の光Ａと第２の色温度の光Ｂの光出力と合成光Ｃの光出力との関係を示すグラフである。例えば、第１の発光素子27aからの光出力を一定のまま、第２の発光素子27bからの光出力を変化させたり、あるいは、第２の発光素子27bからの光出力を一定のまま、第１の発光素子27aからの光出力を変化させることにより、直管形ランプ13の色温度を第１の色温度の光Ａまたは第２の色温度の光Ｂを多く含むように変化させることができるとともに合成光Ｃの光出力も変化させることができる。
【００３２】
このように、直管形ランプ13では、色温度の異なる光を発生する第１の発光回路26aおよび第２の発光回路26bに両端の口金22a，22bから電力を供給する構成とし、その供給する電力を調整することにより、１本の直管形ランプ13から放射する光の色温度を容易に変化させることができる。
【００３３】
また、２系統の出力回路41a，41bを有する点灯装置15により、直管形ランプ13から放射する光の色温度を任意に変化させることができる。
【００３４】
次に、図７に第２の実施形態を示す。第１の実施形態と同じ構成および作用効果については同一符号を用いてその説明を省略する。
【００３５】
発光ユニット21は、基板25の長手方向に対して交差する短手方向の一側に沿って第１の発光回路26aが形成され、他側に沿って第２の発光回路26bが形成され、第１の発光回路26aと第２の発光回路26bとの間に所定の絶縁距離が形成されている。
【００３６】
この構成により、異なる電位の第１の発光回路26aと第２の発光回路26bとの絶縁を確実にすることができる。
【００３７】
次に、図８に第３の実施形態を示す。各実施形態と同じ構成および作用効果については同一符号を用いてその説明を省略する。
【００３８】
点灯装置15の点灯回路として、第１の発光回路26aに電力を供給する第１の点灯回路40aと第２の発光回路26bに電力を供給する第２の点灯回路40bとを別々に備えた例である。第１の点灯回路40aに交流電源Ｅおよび第１の調光器42aからの第１の調光信号が入力され、第２の点灯回路40bに交流電源Ｅおよび第２の調光器42bからの第２の調光信号が入力される。
【００３９】
このように構成された点灯装置15では、各点灯回路40a，40bによって第１の発光回路26aと第２の発光回路26bとを個別に点灯できるとともに調光制御できる。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
11    照明装置
13    直管形ランプ
14a   ソケットとしての第１のソケット
14b   ソケットとしての第２のソケット
15    点灯装置
20    カバー
21    発光ユニット
22a   口金としての第１の口金
22b   口金としての第２の口金
25    基板
26a   第１の発光回路
26b   第２の発光回路
27a   第１の発光素子
27b   第２の発光素子
32    ランプピン
41a   出力回路としての第１の出力回路
41b   出力回路としての第２の出力回路
【図１】
2014110107.tif 000003
【図２】
2014110107.tif 000004
【図３】
2014110107.tif 000005
【図４】
2014110107.tif 000006
【図５】
2014110107.tif 000007
【図６】
2014110107.tif 000008
【図７】
2014110107.tif 000009
【図８】
2014110107.tif 000010